(57)【要約】【課題】衝撃によるスクリーン材の破損を極力防止することができるとともに、スクリーン材の交換やメンテナンスの容易化と駆動機構の簡素化を図ることができるスクリーン装置を提供すること。【解決手段】上端が開口部２上端に固定された可撓性スクリーン材７によって開口部２の少なくとも一部を閉鎖するスクリーン装置において、前記スクリーン材７の左右両端部に帯状マグネット（可撓性吸着手段）１１を設け、該帯状マグネット１１によってスクリーン材７の左右両端部を前記開口部２の左右に立設されたレール３に着脱可能に吸着せしめるとともに、スクリーン材７に取り付けられたベルト（帯状又は線状の可撓性部材）１６を巻き上げて前記開口部２を開放可能とする。【選択図】図１
2005113509.tif 000002
【特許請求の範囲】
【請求項１】
上端が開口部上端に固定された可撓性スクリーン材によって開口部の少なくとも一部を閉鎖するスクリーン装置において、
前記スクリーン材の左右両端部に可撓性吸着手段を設け、該吸着手段によってスクリーン材の左右両端部を前記開口部の左右に立設されたレールに着脱可能に吸着せしめるとともに、スクリーン材に取り付けられた帯状又は線状の可撓性部材を巻き上げて前記開口部を開放可能としたことを特徴とするスクリーン装置。
【請求項２】
手動又は電動で回転駆動される巻取りシャフトを前記開口部の上部に設け、該巻取りシャフトによって前記可撓性部材を巻き取り或は巻き戻して前記スクリーン材を昇降動させることを特徴とする請求項１記載のスクリーン装置。
【請求項３】
前記スクリーン材を分割して左右方向に複数の分割片を形成し、隣接する分割片の端部同士をオーバーラップさせ、そのオーバーラップ部分を可撓性吸着手段によって着脱可能に吸着せしめたことを特徴とする請求項１又は２記載のスクリーン装置。
【請求項４】
前記吸着手段を帯状の可撓性マグネットで構成したことを特徴とする請求項１〜３の何れかに記載のスクリーン装置。
【請求項５】
前記スクリーン材を耐火性の高いシリカクロス又はガラスクロスで構成したことを特徴とする請求項１〜３の何れかに記載のスクリーン装置。
【発明の詳細な説明】
【技術分野】
【０００１】
本発明は、上端が開口部上端に固定された可撓性スクリーン材によって開口部の少なくとも一部を閉鎖するスクリーン装置に関する。
【背景技術】
【０００２】
スクリーン装置は、例えば防災区画に設けられて防火・防煙シャッターとしての機能を果たすが、人や物が通過する度にスクリーン材がレールに沿って昇降動して出入口を開閉する。
【０００３】
ところで、斯かるスクリーン装置には、スクリーン材のレールからの脱落を防ぐためにスクリーン材にボルト等の突起物を取り付けたタイプのものがあるが、スクリーン材に障害物が当たりスクリーン材が障害物からの外力をそのまま受けると、該スクリーン材が破損するおそれがある。
【０００４】
又、従来のスクリーン装置においては、スクリーン材の両端部がレールの内部を昇降動する構成が採用されているため、該スクリーン材の交換やメンテナンスが必ずしも容易であるとは言えない。
【０００５】
そこで、図８に示すように、スクリーン材（強化カーテン）１０７の両端部に可撓性磁気ストリップ１１１を取り付け、該磁気ストリップ１１１を左右の強磁性側部レール１０３に磁気的に吸着させる提案がなされている（特許文献１参照）。
【０００６】
【特許文献１】特表平１０−５０６１５８号公報
【発明の開示】
【発明が解決しようとする課題】
【０００７】
ところが、図８に示す装置においては、駆動手段１１３の回転を第１のプーリ１１８と接続コード１１９及び第２のプーリ１２０を経て端部リール１２１に伝達し、該端部リール１２１を回転させてこれにスクリーン材１０７を巻き取りながら、或は巻き戻しながら昇降動させることによって開口部１０２を開閉する構成が採用されているため、駆動機構が複雑化するとともに、重量物である端部リール１２１がスクリーン材１０７と共に昇降動するために開口部１０２を高速で開閉することが容易ではない。
【０００８】
本発明は上記問題に鑑みてなされたもので、その目的とする処は、衝撃によるスクリーン材の破損を極力防止することができるとともに、スクリーン材の交換やメンテナンスの容易化と駆動機構の簡素化を図ることができるスクリーン装置を提供することにある。
【課題を解決するための手段】
【０００９】
上記目的を達成するため、請求項１記載発明は、上端が開口部上端に固定された可撓性スクリーン材によって開口部の少なくとも一部を閉鎖するスクリーン装置において、前記スクリーン材の左右両端部に可撓性吸着手段を設け、該吸着手段によってスクリーン材の左右両端部を前記開口部の左右に立設されたレールに着脱可能に吸着せしめるとともに、スクリーン材に取り付けられた帯状又は線状の可撓性部材を巻き上げて前記開口部を開放可能としたことを特徴とする。
【００１０】
請求項２記載の発明は、請求項１記載の発明において、手動又は電動で回転駆動される巻取りシャフトを前記開口部の上部に設け、該巻取りシャフトによって前記可撓性部材を巻き取り或は巻き戻して前記スクリーン材を昇降動させることを特徴とする。
【００１１】
請求項３記載の発明は、請求項１又は２記載発明において、前記スクリーン材を分割して左右方向に複数の分割片を形成し、隣接する分割片の端部同士をオーバーラップさせ、そのオーバーラップ部分を可撓性吸着手段によって着脱可能に吸着せしめたことを特徴とする。
【００１２】
請求項４記載の発明は、請求項１〜３の何れかに記載の発明において、前記吸着手段を帯状の可撓性マグネットで構成したことを特徴とする。
【００１３】
請求項５記載の発明は、請求項１〜３の何れかに記載の発明において、前記スクリーン材を耐火性の高いシリカクロス又はガラスクロスで構成したことを特徴とする。
【発明の効果】
【００１４】
請求項１記載の発明によれば、スクリーン材は、その左右両端部が可撓性吸着手段によって開口部の左右に立設されたレールに着脱可能に吸着せしめられるため、これに衝撃が加わった場合には、スクリーン材の両端部がレールから外れるために該スクリーン材に過大な外力が加わることがなく、結果としてスクリーン材の破損が防がれる。又、スクリーン材はレールの外部に露出し、従来のようにその両端部がレールの内部に収納されていないため、該スクリーン材の交換とメンテナンスが容易化する。更に、スクリーン材に取り付けられた帯状又は線状の可撓性部材を巻き上げて開口部を開放可能としたため、簡単な駆動機構で開口部を開閉することができる。
【００１５】
請求項２記載の発明によれば、開口部の上部に設けられた巻取りシャフトによって可撓性部材を巻き取り或は巻き戻してスクリーン材を高速で昇降動させて開口部を開閉することができる。
【００１６】
請求項３記載の発明によれば、スクリーン材を複数に分割して隣接する分割片の端部同士をオーバーラップさせ、そのオーバーラップ部分を可撓性吸着手段によって着脱可能に吸着せしめたため、分割片の端部同士の吸着を何れの方向からでも容易に解除することができ、当該スクリーン装置の双方向からの通過が可能となる。
【００１７】
請求項４記載の発明によれば、吸着手段を帯状の可撓性マグネットで構成したため、該可撓性マグネットは、磁性体であるレールに磁気的に密着してスクリーン材の両端部を気密にシールするとともに、スクリーン材と共に変形してスクリーン材による開口部の開閉を許容する。
【００１８】
請求項５記載の発明によれば、スクリーン材を耐火性の高いシリカクロス又はガラスクロスで構成したため、当該スクリーン装置を防火・防煙シャッターとしての用途に供することができる。
【発明を実施するための最良の形態】
【００１９】
以下に本発明の実施の形態を添付図面に基づいて説明する。
【００２０】
＜実施の形態１＞
図１は本発明の実施の形態１に係るスクリーン装置の斜視図であり、（ａ）は全閉鎖状態、（ｂ）は上昇開始状態、（ｃ）は全開放状態をそれぞれ示す。又、図２は図１（ａ）のＡ−Ａ線断面図、図３は図１（ｂ）のＢ−Ｂ線断面図である。
【００２１】
図１において、１は例えば建屋のコンクリート壁であって、このコンクリート壁１には出入口としての矩形の開口部２が形成されている。そして、この開口部２の左右両側部には、上下方向に長いレール３が垂直に立設されている。
【００２２】
ここで、各レール３は、図２に示すように、磁性材である鋼製のチャンネル材で構成されており、これの外側面には同じく鋼製のアングル材４が溶着されている。そして、各レール３は、コンクリート壁１に上下方向に適当なピッチで打ち込まれた複数（図２には１つのみ図示）のアンカーボルト５とこれに螺合するナット６によって前記アングル材４を締着することによって、コンクリート壁１の開口部２に沿う一面（図の手前側の面）に固定され、前述のように両レール３が開口部２の左右両側部に垂直に立設されている。
【００２３】
ところで、本発明に係るスクリーン装置は、昇降動することによって前記開口部２を開閉する矩形シート状の可撓性スクリーン材７と、該スクリーン材７を巻き取る巻取り機構８を含んで構成されている。
【００２４】
ここで、本実施の形態では、上記スクリーン材７は、耐火性の高いシリカクロス又はガラスクロスで構成されており、その表面には、必要に応じて、ウレタン系又はシリコン系の耐火塗料がコーティングされている。
【００２５】
而して、スクリーン材７は、図３に示すように、その上端縁が前記コンクリート壁１のたれ壁（下り壁）１ａの開口部２上縁に固定されており、出入口である開口部２を人や物等が通過しない場合には、図１（ａ）に示すように、垂直に垂れ下がって開口部２を全閉鎖している。
【００２６】
ここで、スクリーン材７の下端部近傍には、剛性及び耐火性の高い金属製のフラットバー９が幅方向に水平に取り付けられており、スクリーン材７のフラットバー９から下方に延びる下端縁部分は、図１（ａ）に示す全閉鎖時に床面１０に接してシール機能を果たし、当該スクリーン材７と床面１０とを気密にシールする。尚、フラットバー９に代えて金属パイプ等を用いても良い。
【００２７】
ところで、スクリーン材７の左右両端部の一面（レール３に対向する面（図２参照））には、可撓性吸着手段としての撓曲自在な帯状マグネット１１が上下方向全長に亘って取り付けられており、図１（ａ）に示す全閉鎖状態では、左右の帯状マグネット１１が左右のレール３にそれぞれ磁気的に吸着することによって、スクリーン材７の左右両端が上下方向全長に亘って左右のレール３に気密に密着する。
【００２８】
他方、前記巻取り機構８は、開口部２の上部に設けられており、これは水平に設けられた巻取りシャフト１２とこれを回転駆動する正逆転可能な電動モータ１３を含んで構成されている。
【００２９】
上記巻取りシャフト１２は、その両端部が不図示の軸受を介して左右のブラケット１４に回転自在に支承されており、その一端部には前記電動モータ１３が設けられている。尚、巻取り機構８は、図３に示すように、その全体が矩形ボックス状のケース１５によって覆われている（図１では図示省略）。
【００３０】
ところで、図１（ａ），（ｂ）に示すように、前記スクリーン材７の下端左右には帯状の可撓性部材としてのベルト１６の一端が取り付けられており、各ベルト１６の他端は、上方に延びて巻取り機構８の前記巻取りシャフト１２に取り付けられている。尚、本実施の形態では、スクリーン材７を巻き取るための可撓性部材としてベルト１６を用いたが、これに代えて線状のワイヤー、ロープ、チェーン等を用いても良い。
【００３１】
而して、図１（ａ）に示す全閉鎖状態において、開口部２を人や物が通過する場合、或は火災報知器からの信号を受信した場合等には、電動モータ１３が作動して巻取りシャフト１２が回転駆動される。すると、先ず、左右２本のベルト１６が巻取りシャフト１２に巻き取られるため、図１（ｂ）及び図３に示すように、スクリーン材７の下端が左右のベルト１６によって持ち上げられる。このとき、スクリーン材７の両端部に取り付けられた帯状マグネット１１がレール３から外れながら、スクリーン材７は、Ｕ字状に折り曲げらて下端側から上方へと持ち上げられる。
【００３２】
そして、左右のベルト１６が巻取りシャフト１２によって完全に巻き取られると、次にスクリーン材７がその下端側から巻取りシャフト１２に順次巻き取られ、その全てが巻き取られると、図１（ｃ）に示すように開口部２が全開放され、人や物が開口部２を自由に通過することができる。
【００３３】
逆に、図１（ｃ）に示す全開放状態から図１（ａ）に示す全閉鎖状態とするには、電動モータ１３を逆転させ、或は電動モータ１３に内蔵された不図示のブレーキを解除すれば、逆転する巻取りシャフト１２による巻き戻し、或はスクリーン材７自体の自重による降下（自重降下）によって、スクリーン材７は、図１（ｂ）に示すと同様の状態で、その上端側から次第に降下し、該スクリーン材７の両端部に取り付けられた帯状マグネット１１が左右のレール３に順次密着する。
【００３４】
そして、スクリーン材３が完全に降下すると、図１（ａ）に示すように、該スクリーン材７によって開口部２が全閉鎖され、スクリーン材７の両端部は、帯状マグネット１１を介して左右のレール３に気密に密着する。
【００３５】
ところで、本実施の形態に係るスクリーン装置は、前述のようにスクリーン材７を耐火性の高いシリカクロス又はガラスクロスで構成したため、防火・防煙シャッターとしても機能し、通常は図１（ｃ）に示す全開放状態にあるスクリーン装置は火災発生時には次のように動作する。
【００３６】
即ち、不図示の火災報知器から火災発生の信号を受信すると、電動モータ１３に内蔵された不図示のブレーキが解除され、スクリーン材７は自重降下して図１（ａ）に示すように開口部２を全閉鎖するため、当該スクリーン装置は、延焼を防ぐ防火シャッターとして機能する。或は、図１（ｂ）に示すように、スクリーン材７が途中まで降下して開口部２の一部（上半部）を覆い、当該スクリーン装置は、防煙シャッターとして機能する。
【００３７】
尚、本実施の形態では、ベルト１６によるスクリーン材７の巻き取りを電動モータ１３によって行うようにしたが、手動によって行うようにしても良い。
【００３８】
又、本実施の形態では、スクリーン材７の両端部に設ける可撓性吸着手段として帯状マグネット１１を用いたが、これに代えてベルクロファスナー（面ファスナー）、粘着力や静電気力を利用したもの等を用いることができる。
【００３９】
以上において、本実施の形態に係るスクリーン装置においては、スクリーン材７は、その左右両端部が帯状マグネット１１によって左右のレール３に着脱可能に吸着せしめられるため、これに衝撃が加わった場合には、スクリーン材７の両端部が左右のレール３から外れるために該スクリーン材７に過大な外力が加わることがなく、結果としてスクリーン材７の破損が防がれる。
【００４０】
そして、可撓性吸着手段を帯状マグネット１１で構成したため、該帯状マグネット１１は、磁性体であるレール３に磁気的に密着してスクリーン材７の両端部を気密にシールするとともに、スクリーン材７と共に変形してスクリーン材７による開口部２の開閉を許容する。
【００４１】
又、スクリーン材７はレール３の外部に露出し、従来のようにその両端部がレール３の内部に収納されていないため、該スクリーン材７の交換とメンテナンスが容易化する。
【００４２】
更に、スクリーン材７の下端に取り付けられたベルト１６を巻上げ機構８によって巻き上げて開口部２を開放可能としたため、巻上げ機構８が簡素化され、スクリーン材７の下端部に高重量物が設けられないために該スクリーン材７を高速で巻き上げ或は降下させて開口部２を迅速に開閉することができる。
【００４３】
尚、本実施の形態では、図３に示すように、ベルト１６及びスクリーン材７を巻取りシャフト１２に手前側（図３の右側）から巻き取る構成を採用したが、図４に示すように、ベルト１６及びスクリーン材７を巻取りシャフト１２に奥側（図４の左側）から巻き取るようにすれば、スクリーン材７の折り返し幅ｂを図３に示すものの折り返し幅ｂ’よりも小さく（ｂ＜ｂ’）抑えることができる。
【００４４】
＜実施の形態２＞
次に、本発明の実施の形態２を図５〜図７に基づいて説明する。
【００４５】
図５は本実施の形態に係るスクリーン装置の斜視図、図６は図５のＣ−Ｃ線断面図、図７はスクリーン材の双方向からの開放動作を示す図６と同様の図であり、これらの図においては図１〜図４に示したと同一要素には同一符号を付しており、以下、それらについての説明は省略する。
【００４６】
本実施の形態に係るスクリーン装置は、図５に示すように、スクリーン材７を幅方向中央部で分割して左右２つの分割片７Ａ，７Ｂとし、これらの分割片７Ａ，７Ｂの端部同士を図６に示すようにオーバーラップさせ、そのオーバーラップ部分を可撓性吸着手段である帯状マグネット１７Ａ，１７Ｂによって着脱可能に吸着せしめたことを特徴としており、他の構成は前記実施の形態１のそれと同様である。
【００４７】
ここで、図６に示すように、スクリーン材７の左右の分割片７Ａ，７Ｂの互いにオーバーラップする端部の相対向する面に極性が逆の前記帯状マグネット１７Ａ，１７Ｂがそれぞれ取り付けられており、これらの帯状マグネット１７Ａ，１７Ｂが互いに密着することによって、通常（つまり、開口部２を人や物が通過しない場合）には、図５に示すように、スクリーン材７は開口部２を全閉鎖している。
【００４８】
而して、緊急避難時等において例えば人が開口部２を手前側から奥側に向かって通過する場合には、人はスクリーン材７の向かって右側の分割片７Ｂを奥側に向かって図７（ａ）の矢印Ｘ方向（右側の分割片７Ｂを分離する方向）に押せば、右側の分割片７Ｂの帯状マグネット１７Ｂが同方向の力を受けて他方の帯状マグネット１７Ａから容易に離脱する。この結果、人は図７（ａ）に示すように右側の分割片７Ｂを開けて手前側から開口部２を奥側に向かって容易に通過することができる。そして、人が通過した後は、右側の分割片７Ｂの帯状マグネット１７Ｂが図６に示すように他方の帯状マグネット１７Ａに密着するため、図５に示すように、開口部２はスクリーン材７によって再び全閉鎖される。
【００４９】
同様に、人が開口部２を奥側側から手前側に向かって通過する場合には、人はスクリーン材７の向かって左の分割片７Ａを手前側に向かって図７（ｂ）の矢印Ｙ方向（左側の分割片７Ａを分離する方向）に押せば、左側の分割片７Ａの帯状マグネット１７Ａが同方向の力を受けて他方の帯状マグネット１７Ｂから容易に離脱する。この結果、人は図７（ｂ）に示すように左側の分割片７Ａを開けて奥側から開口部２を手前側に向かって容易に通過することができる。そして、人が通過した後は、左側の分割片７Ａの帯状マグネット１７Ａが図６に示すように他方の帯状マグネット１７Ｂに密着するため、図５に示すように、開口部２はスクリーン材７によって再び全閉鎖される。
【００５０】
以上のように、本実施の形態では、スクリーン材７を左右２つの分割片７Ａ，７Ｂに分割し、両分割片７Ａ，７Ｂの端部同士をオーバーラップさせ、そのオーバーラップ部分を可撓性の帯状マグネット１７Ａ，１７Ｂによって着脱可能に吸着せしめたため、分割片７Ａ，７Ｂの端部同士の吸着を何れの方向からでも容易に解除することができ、開口部２の双方向からの通過が可能となる。その他、本実施の形態においても、前記実施の形態１にて得られたと同様の効果が得られることは勿論である。
【００５１】
尚、本実施の形態では、スクリーン材７を２つに分割したが、３つ以上の複数に分割しても良い。又、本実施の形態では、スクリーン材７の分割片７Ａ，７Ｂの端部同士を密着させるための可撓性吸着手段として帯状マグネット１７Ａ，１７Ｂを用いたが、これに代えてベルクロファスナー（面ファスナー）、粘着力や静電気力を利用したもの等を用いることができる。
【産業上の利用可能性】
【００５２】
本発明に係るスクリーン装置は、オフィスビルやホテル等の建造物内に設置される防火・防煙シャッターとしての用途の他、工場や倉庫等の開口部を可撓性スクリーンによって開閉する開閉シャッター等としての任意の用途に供することができる。
【図面の簡単な説明】
【００５３】
【図１】本発明の実施の形態１に係るスクリーン装置の斜視図であり、（ａ）は全閉鎖状態、（ｂ）は上昇開始状態、（ｃ）は全開放状態をそれぞれ示す。
【図２】図１（ａ）のＡ−Ａ線断面図である。
【図３】図１（ｂ）のＢ−Ｂ線断面図である。
【図４】本発明の実施の形態１の変形例を示す図３と同様の図である。
【図５】本発明の実施の形態２に係るスクリーン装置の斜視図（全閉鎖状態）である。
【図６】図５のＣ−Ｃ線断面図である。
【図７】スクリーン材の双方向からの開放動作を示す図６と同様の図である。
【図８】従来のスクリーン装置の斜視図である。
【符号の説明】
【００５４】
１          コンクリート壁
２          開口部
３          レール
４          アングル材
５          アンカーボルト
６          ナット
７          スクリーン材
７Ａ，７Ｂ  スクリーン材分割片
８          巻取り機構
９          フラットバー
１０        床面
１１        帯状マグネット（可撓性吸着手段）
１２        巻取りシャフト
１３        電動モータ
１４        ブラケット
１５        ケース
１６        ベルト（可撓性部材）
１７Ａ，１７Ｂ  帯状マグネット（可撓性吸着手段）
【図１】
2005113509.tif 000003
【図２】
2005113509.tif 000004
【図３】
2005113509.tif 000005
【図４】
2005113509.tif 000006
【図５】
2005113509.tif 000007
【図６】
2005113509.tif 000008
【図７】
2005113509.tif 000009
【図８】
2005113509.tif 000010